(57)【要約】  【課題】排気微粒子捕集用のフィルタ部材の再生を、停車中にエンジンを高回転で運転しつつ行う場合に、車両盗難の危険性低減と、エンジンをむやみに大きい回転数で運転する頻度の低減とを共に高い次元で満足させる。  【解決手段】  エンジン１の排気通路３に、排気微粒子を捕集するためのフィルタ部材１２が設けられる。フィルタ部材１２での捕集量Ｘが所定値Ａ２以上になると、再生指示を促すための再生指示ランプ４１が点灯され、このときにマニュアル操作される手動再生スイッチ３５をオン操作し、かつＩＧスイッチをオフ操作することによって、フィルタ部材１２の再生（手動再生）が開始される。再生は、エンジン１を通常のアイドル回転数よりも高い所定回転数にして排気ガス温度を高めることにより行われ、再生終了時には自動的にエンジンが停止される。再生時の上記所定回転数が、ドアがロックされていないときは大きい（高い）回転数とされ、ドアがロックされているときは小さい（低い）回転数とされる。【選択図】  図１
2005171972.tif 000002
【特許請求の範囲】
【請求項１】
エンジンの排気通路に配設され、排気ガス中の排気微粒子を捕集するフィルタ部材と、
前記フィルタ部材に捕集された排気微粒子の捕集量に関連するパラメータを検出する捕集量検出手段と、
乗員によりマニュアル操作され、前記フィルタ部材の再生を開始させる指令を行う手動再生スイッチと、
車両が停車していることを検出する停車検出手段と、
前記捕集量検出手段により検出された排気微粒子の捕集量が所定値以上で、かつ前記停車検出手段により車両の停車が検出されたとき、乗員に手動再生を促す指示を行う手動再生指示手段と、
前記該手動再生指示手段による手動再生を促す指示中に、前記手動再生スイッチが手動再生開始状態に操作され、かつＩＧスイッチがオフ操作されたとき、前記フィルタ部材に流入される排気ガスの温度を上昇させるべくエンジンを所定回転数に制御することにより、該フィルタ部材に捕集された排気微粒子を燃焼除去して該フィルタ部材を再生させると共に、再生終了時にエンジンを自動的に停止させるための手動再生手段と、
ドアがロックされているか否かを検出するドアロック検出手段と、
前記ドアロック検出手段によりドアロックされていないことが検出されたときは、ドアロックが検出された場合に比して、前記所定回転数を大きい回転数に設定する所定回転数設定手段と、
を備えていることを特徴とするエンジンの制御装置。
【請求項２】
エンジンの排気通路に配設され、排気ガス中の排気微粒子を捕集するフィルタ部材と、
前記フィルタ部材に捕集された排気微粒子の捕集量に関連するパラメータを検出する捕集量検出手段と、
前記捕集量検出手段により検出された排気微粒子の捕集量が第１所定値以上のときで、かつ車両の走行中であること含む所定の自動再生条件が満足されたときに、前記フィルタ部材に流入される排気ガスの温度を上昇させるべくエンジンの制御態様を変更することにより、該フィルタ部材に捕集された排気微粒子を燃焼除去して該フィルタ部材を再生させるための自動再生手段と、
乗員によりマニュアル操作され、前記フィルタ部材の再生を開始させる指令を行う手動再生スイッチと、
車両が停車していることを検出する停車検出手段と、
前記捕集量検出手段により検出された排気微粒子の捕集量が前記第１所定値よりも大きな値に設定された第２所定値以上で、かつ前記停車検出手段により車両の停車が検出されたとき、乗員に手動再生を促す指示を行う手動再生指示手段と、
前記該手動再生指示手段による手動再生を促す指示中に、前記手動再生スイッチが手動再生開始状態に操作され、かつＩＧスイッチがオフ操作されたとき、前記フィルタ部材に流入される排気ガスの温度を上昇させるべくエンジンを所定回転数に制御することにより、該フィルタ部材に捕集された排気微粒子を燃焼除去して該フィルタ部材を再生させると共に、再生終了時にエンジンを自動的に停止させるための手動再生手段と、
ドアがロックされているか否かを検出するドアロック検出手段と、
前記ドアロック検出手段によりドアロックされていないことが検出されたときは、ドアロックが検出された場合に比して、前記所定回転数を大きい回転数に設定する所定回転数設定手段と、
を備えていることを特徴とするエンジンの制御装置。
【請求項３】
請求項１または請求項２において、
運転席ドアの開閉を検出するドア開閉検出手段と、
前記手動再生手段による再生実行中に、前記開閉検出手段によって運転席ドアが開状態とされたことが検出されたとき、乗員に対してドアロックを行うことを促す報知を行うドアロック報知手段と、
をさらに備えていることを特徴とするエンジンの制御装置。
【請求項４】
請求項１ないし請求項３のいずれか１項において、
運転者が車外に出たことを検出する外出検出手段と、
ウインドの開閉状態を検出手段するウインド開閉検出手段と、
前記手動再生手段による再生実行中に、前記外出検出手段によって運転者が車外に出たことが検出され、かつ前記ウインド開閉検出手段によってウインドサイドドアが開状態であることが検出されたとき、ウインドを自動的に閉じるウインド閉手段と、
をさらに備えていることを特徴とするエンジンの制御装置。
【発明の詳細な説明】
【技術分野】
【０００１】
本発明は、エンジンの制御装置に関し、特に、排気通路に排気微粒子を捕集するフィルタ部材を備えたエンジンの制御装置に関する。
【背景技術】
【０００２】
従来、エンジン、例えばディーゼルエンジンにおいては、排気ガス中に含まれるカーボン等の排気微粒子（パティキュレート）を大気に放出しないよう排気通路に配設したフィルタ部材（パティキュレートフィルタ）により捕集（トラップ）することが行われている。
【０００３】
フィルタ部材に捕集された排気微粒子量が捕集可能な飽和容量にまで達すると、捕集された排気微粒子を燃焼させて、フィルタ機能を再生することが行われている。特許文献１には、フィルタ部材が再生時期になった時に再生を促すための警告ランプを点灯して、この警告ランプの点灯中に乗員が再生開始スイッチをマニュアル操作すると、所定時間燃料噴射量を増量することによってアイドル回転数つまり排気ガス温度を上昇させて、フィルタ部材に捕集されている排気微粒子を燃焼除去することが開示されている。
【特許文献１】特開平４−８６３１９号公報
【発明の開示】
【発明が解決しようとする課題】
【０００４】
前述のように、車両の停車中に、エンジンを運転しつつフィルタ部材の再生を行う場合、車両盗難の危険性が高いものとなる。すなわち、フィルタ部材の再生には、小型エンジンを搭載した乗用車では例えば１０〜２０分程度要し、また比較的大型のエンジンを搭載したトラック等の商用車では例えば３０〜４０分程度要し、いずれにしもて再生完了までにはかなりの長時間を要することになる。このように、フィルタ部材の再生にはかなりの長時間を要することから、再生中に、乗員が車両から離れてしまう事態が生じやすいものとなり、再生中にエンジンが運転されていることと合わせて、車両盗難の危険性が高いものとなる。とりわけ、乗員がドアロックしないで車外に出てしまったときに、車両盗難の可能性が高いものとなる。
【０００５】
停車中に行われる手動再生の時間を極力短くするために、手動再生の際のエンジン回転数を相当に大きい回転数に設定することが考えられる。しかしながら、手動再生を常に高いエンジン回転数で行う場合は、エンジンや排気系の熱負担が大きくなって好ましくないものとなり、また、排気口から排出される排気ガス温度も相当に高いものとなってしまって、通りすがりの者等が不用意に高温の排気ガスを浴びる熱害の可能性の点からも好ましくないものとなる。
【０００６】
本発明は、以上のような課題に勘案してなされたもので、その目的は、停車状態でエンジンを運転しつつ行われるフィルタ部材の再生を行う場合に、車両盗難の危険性低減と、手動再生手段による再生を小さいエンジン回転数でもって行うようにする頻度を高めることとを共に高い次元で満足できるようにしたエンジンの制御装置を提供することにある。
【課題を解決するための手段】
【０００７】
前記目的を達成するため、本発明にあってはその第１の解決手法として次のようにしてある。すなわち、特許請求の範囲における請求項１に記載のように、
エンジンの排気通路に配設され、排気ガス中の排気微粒子を捕集するフィルタ部材と、
前記フィルタ部材に捕集された排気微粒子の捕集量に関連するパラメータを検出する捕集量検出手段と、
乗員によりマニュアル操作され、前記フィルタ部材の再生を開始させる指令を行う手動再生スイッチと、
車両が停車していることを検出する停車検出手段と、
前記捕集量検出手段により検出された排気微粒子の捕集量が所定値以上で、かつ前記停車検出手段により車両の停車が検出されたとき、乗員に手動再生を促す指示を行う手動再生指示手段と、
前記該手動再生指示手段による手動再生を促す指示中に、前記手動再生スイッチが手動再生開始状態に操作され、かつＩＧスイッチがオフ操作されたとき、前記フィルタ部材に流入される排気ガスの温度を上昇させるべくエンジンを所定回転数に制御することにより、該フィルタ部材に捕集された排気微粒子を燃焼除去して該フィルタ部材を再生させると共に、再生終了時にエンジンを自動的に停止させるための手動再生手段と、
ドアがロックされているか否かを検出するドアロック検出手段と、
前記ドアロック検出手段によりドアロックされていないことが検出されたときは、ドアロックが検出された場合に比して、前記所定回転数を大きい回転数に設定する所定回転数設定手段と、
を備えたものとしてある。
【０００８】
前記目的を達成するため、本発明にあってはその第２の解決手法として次のようにしてある。すなわち、特許請求の範囲における請求項２に記載のように、
エンジンの排気通路に配設され、排気ガス中の排気微粒子を捕集するフィルタ部材と、
前記フィルタ部材に捕集された排気微粒子の捕集量に関連するパラメータを検出する捕集量検出手段と、
前記捕集量検出手段により検出された排気微粒子の捕集量が第１所定値以上のときで、かつ車両の走行中であること含む所定の自動再生条件が満足されたときに、前記フィルタ部材に流入される排気ガスの温度を上昇させるべくエンジンの制御態様を変更することにより、該フィルタ部材に捕集された排気微粒子を燃焼除去して該フィルタ部材を再生させるための自動再生手段と、
乗員によりマニュアル操作され、前記フィルタ部材の再生を開始させる指令を行う手動再生スイッチと、
車両が停車していることを検出する停車検出手段と、
前記捕集量検出手段により検出された排気微粒子の捕集量が前記第１所定値よりも大きな値に設定された第２所定値以上で、かつ前記停車検出手段により車両の停車が検出されたとき、乗員に手動再生を促す指示を行う手動再生指示手段と、
前記該手動再生指示手段による手動再生を促す指示中に、前記手動再生スイッチが手動再生開始状態に操作され、かつＩＧスイッチがオフ操作されたとき、前記フィルタ部材に流入される排気ガスの温度を上昇させるべくエンジンを所定回転数に制御することにより、該フィルタ部材に捕集された排気微粒子を燃焼除去して該フィルタ部材を再生させると共に、再生終了時にエンジンを自動的に停止させるための手動再生手段と、
ドアがロックされているか否かを検出するドアロック検出手段と、
前記ドアロック検出手段によりドアロックされていないことが検出されたときは、ドアロックが検出された場合に比して、前記所定回転数を大きい回転数に設定する所定回転数設定手段と、
を備えたものとしてある。
【０００９】
上記第１の解決手法および第２の解決手法によれば、ドアロックされていて盗難の可能性の低いときは、手動再生手段による再生を小さいエンジン回転数で行って、エンジンや排気系の熱負担をいたずらに大きくしてしまうことが防止される。また、ドアロックされていない盗難の可能性の高いときは、手動再生手段による再生を大きいエンジン回転数でおこなってすみやかに再生を終了させるようにしてあるので、盗難の危険性を低減することができる。なお、この大きいエンジン回転数での再生は、ドアロックされていないときに限定されるので、エンジンや排気系の熱負担は、この再生を常に大きいエンジン回転数でもって行う場合に比して低減することができる。
以上に加えて、手動再生手段による再生は，ＩＧスイッチをオフにしたことを条件として行われると共に、再生終了後はエンジンを自動的に停止するようにしてあるので、この点からも盗難の危険性を低減することができる。
特に、第２の解決手法（請求項２に記載された発明）によれば、自動再生手段によって車両の走行中にもフィルタ部材の再生が行われることと合わせて、手動再生手段による再生開始判定しきい値となる第２所定値を自動再生手段による再生開始判定しきい値となる第１所定値よりも大きい値に設定して、自動再生手段による再生が行われやすくなるように設定してあるので、停車状態でエンジンを運転しつつ行われる手動再生手段によるフィルタ部材の再生を行う頻度を大幅に低減して、車両盗難の危険性低減やエンジンや排気系の熱負担を低減させる上で、さらには手動再生を行なうわずらわしさを解消する上でより一層好ましいものとなる。
【００１０】
上記第１の解決手法または第２の解決手法の少なくとも一方を前提とした好ましい態様は、特許請求の範囲における請求項３以下に記載のとおりである。すなわち、
運転席ドアの開閉を検出するドア開閉検出手段と、
前記手動再生手段による再生実行中に、前記開閉検出手段によって運転席ドアが開状態とされたことが検出されたとき、乗員に対してドアロックを行うことを促す報知を行うドアロック報知手段と、
をさらに備えているようにすることができる（請求項３対応）。この場合、運転者が車外に出て盗難の危険性（可能性）が高くなるときは、ドアロックする旨の報知が行われるので、ドアロックをし忘れたまま運転者が車両から離れてしまう事態の発生を未然に防止して、盗難の危険性をより低減させる上で好ましいものとなる。
【００１１】
運転者が車外に出たことを検出する外出検出手段と、
ウインドの開閉状態を検出手段するウインド開閉検出手段と、
前記手動再生手段による再生実行中に、前記外出検出手段によって運転者が車外に出たことが検出され、かつ前記ウインド開閉検出手段によってウインドが開状態であることが検出されたとき、ウインドを自動的に閉じるウインド閉手段と、
をさらに備えているようにすることができる（請求項４対応）。この場合、ウインドを開いたまま運転者が車外に出てしまうことを確実に防止して、盗難の危険性をより低減させる上で好ましいものとなる。
【発明の効果】
【００１２】
請求項１および請求項２に記載された発明によれば、車両盗難の危険性低減と、手動再生手段による再生を小さいエンジン回転数でもって行うようにする頻度を高めることとを共に高い次元で満足することができる。
特に請求項２に記載された発明によれば、車両盗難の危険性が高くなる手動再生手段による再生を行う機会を大幅に低減することができる。
【発明を実施するための最良の形態】
【００１３】
図１において、１は４気筒ディーゼルエンジンであり、ディーゼルエンジン１（の各気筒）には、吸気通路２、排気通路３が接続されている。吸気通路２には、その上流側から下流側に向かって順次、エアクリーナ４、エアフローセンサ５、ＶＧＴターボ過給機（バリアブルジオメトリーターボ）６のブロア６ａ、インタークーラ７、吸気絞り弁８、吸気温度センサ９、吸気圧力センサ１０が配設されている。排気通路３には、その上流側から下流側に向かって順次、ＶＧＴターボ過給機（バリアブルジオメトリーターボ）６のタービン６ｂ、タービン６ｂに流入する排気ガス流速を制御する可動ベーン６ｃ、酸化触媒１１、フィルタ部材（パティキュレートフィルタ）１２が配設されている。
【００１４】
上記フィルタ部材１２の上下流には、排気圧力センサ１３、１４が配設されており、各排気圧力センサ１３と１４との差圧に基づいてフィルタ部材１２に堆積した（捕集された）排気微粒子量を検出するよう構成されている。また、フィルタ部材１２には温度センサ１５が設けられている。
【００１５】
インタークーラ７下流側の吸気通路２とターボ過給機６上流側の排気通路３とが排気ガス還流通路１６によって接続されている。この排気ガス還流通路１６のには、負圧アクチュエータ式の排気ガス還流弁１７と、排気ガスをエンジンの冷却水によって冷却するためのクーラ１８とが配設されている。
【００１６】
１９は燃料噴射ポンプであり、燃料タンク（図示省略）からの燃料を蓄圧手段としてのコモンレール２０に供給する。コモンレール２０は、各気筒の燃焼室１ａに配設された燃料噴射弁２１（図１では１つのみ図示）に接続されるとともに、そのコモンレール２０には、燃料噴射圧センサ２２と、コモンレール１９内に蓄圧された燃料の圧力が許容圧力以上になった時開弁して燃料タンク側に燃料をリリーフするための安全弁２３が設けられている。
【００１７】
図１中、５０は、マイクロコンピュータを利用して構成されたコントロールユニットである。図２には、コントロールユニット５０に対する入・出力関係が示される。コントロールユニット５０へは、前述した各圧力センサ１３、１４からの信号が入力される他、センサ、スイッチ等３１〜４０からの信号が入力される。３１は、車速を検出する車速センサである。３２は、ドアがロックされていることを検出するドアロックスイッチである。３３は、ドア特に運転席ドアの開閉状態を検出するスイッチである。３４は、エンジン回転数を検出する回転数センサである。３５は、マニュアル操作によって手動再生（の開始）を指令する手動再生スイッチである。３６は、キーレスエントリ用の携帯キーであり、無線によって車両と情報をやりとりして、乗員が携帯キーを持って車両から所定距離（例えば３ｍ）離間したときに、この乗員の離間を検出して自動的にドアロックが行われるようになっている。なお、車両または車両付近に乗員、特に運転者が居るか否かを判別するために、携帯キー３６を利用することもできる。すなわち、携帯キー３６から発信される無線信号は、所定距離（例えば３ｍ）離間すると受信不能となり、車室内に運転者が居るときは受信信号が極めて強く、運転者が車室外ではあるが車両付近に居るときは弱い受信信号となるので、この受信信号の感度に応じて、車室内または車両付近での運転者の有無を検出することが可能となる。
【００１８】
３７は、車室内での乗員の有無を検出するセンサであって、例えばシートに装備された着座センサによって構成されている。この着座センサ３７は、運転者の有無を検出するものであれば、運転席シートのみに設けることもできるが、運転者に限定されない乗員の有無を検出する場合には、全てのシートに着座センサを設ければよい。３８は、自動変速機のレンジ位置を検出するものであり、特に停車を検出するために、走行レンジ位置以外のレンジ位置としてのＰ（パーキング）レンジあるいはＮ（ニュートラル）レンジを検出するものとなっている。３９は、ウインドの開閉状態を検出するものである(例えばウインド全閉時にオンまたはオフとなるスイッチによって構成することができる）。４０は、ＩＧ（イグニッション）スイッチであり、ＩＧオフを検出するためのものとなっている。
【００１９】
コントロールユニット５０からの制御信号は、前述の燃料噴射弁２１に出力される他、各種アクチュエータ類４１〜４４、４８、４９に出力される。４１は、乗員に対して手動再生を実行させるマニュアル操作を促すものであり、実施形態では、車室内ランプの点灯（あるいは点滅）によって手動再生を促す指示を行うものされている。４２は、ウインドを開閉するモータである。４３は、乗員特に運転者に対して、ドアロックを促す報知（警報）を行うものであり、例えば室内ランプの点灯（あるいは点滅）やブザー等の音（音声ガイドでもよい）によって報知するものとされる。４８は、ＩＧスイッチをバイパスするＩＧバイパススイッチであり、イグニッションーキー（携帯キー３６）をＩＧスイッチから抜いてＩＧスイッチがオフされたときでも、コントローラ５０によってＩＧバイパススイッチ４８をオンさせることにより、エンジン１の運転や前述したセンサ、スイッチさらにはアクチュエータ類の作動に必要な電源供給が可能とされている。４９は、手動再生を実行する条件としてのＩＧオフを運転者に促すための指示を報知する報知手段であって、ランプ、音（音声ガイドを含む）等適宜の報知手法を採択することができる。
【００２０】
次に、エンジン１の制御状態を変更することによりフィルタ部材１２の再生を行う手法についてについて説明するが、再生は、後述するように、燃料噴射弁２１からの燃料噴射制御によって達成される。ただし、フィルタ部材１２の再生（を行う機会）は、次の２つの態様でもって行われるようになっている。第１の再生は、車両走行中（非アイドル時）に所定の再生条件が成立したときに、フィルタ部材１２の再生を自動的に行う強制再生（自動再生で、請求項２における自動再生手段に相当）である。第２の再生は、車両停車時（アイドル時）に手動再生スイッチ３５がＯＮ操作されたときに、フィルタ部材１２の再生を行う手動再生である（請求項１、請求項２における手動再生手段に相当）。
【００２１】
上記自動再生は、車両走行中であることを前提として、捕集した排気微粒子量が第１所定値Ａ１よりも大きく、かつ所定の再生開始条件が成立したとき（例えば、車速が所定車速としての例えば３０ｋｍ／ｈ以上のとき）とされる。車速以外の所定の再生開始条件として、例えば、エンジン回転数が低回転および高回転を除く所定回転領域（中回転域）であることや、この条件に代えてあるいは加えて、エンジン負荷が低負荷および高負荷を除く所定負荷領域（中負荷域）であることとして設定することもできる。要は、所定の再生開始条件は、車両走行中であって、再生に必要な温度にまで排気ガス温度を上昇できるような噴射燃料の増量を行うことができる運転状態であることが必要最小限とされ、これに加えて、再生のための噴射燃料の増量を行っても特に悪影響のない運転状態を再生開始条件として付加することもできる。
【００２２】
上述した自動再生（強制再生）のときは、図３（ａ）に示すように、圧縮行程上死点近傍で噴射される主噴射（ａ１）後の膨張行程において、所定量の後噴射（ｂ１）が追加される。後噴射による酸化触媒１１での後燃焼とのによってフィルタ部材１２に流入される排気ガス温度を上昇することができ、フィルタ部材１２に捕集された排気微粒子を燃焼除去でき、フィルタ部材１２を再生することができる。
【００２３】
前述した手動再生は、捕集した排気微粒子量が第２所定値Ａ２（＞第１所定値Ａ１）よりも大きくなった状態で、停車中を条件として実行される。手動再生は、図３（ｂ）中（ａ３）で示すように、圧縮行程上死点近傍で噴射される主噴射の噴射量を通常時の噴射量（ａ２）よりも所定量増量、例えば、アイドル回転数を通常のアイドル回転数（例えば、７５０ｒｐｍ）から手動再生用の第１目標回転数（所定回転数で、例えば、１７５０ｒｐｍ）まで上昇させるために必要な量増量するとともに、図３（ｂ）に示すように、主噴射（ａ３）の後の膨張行程において所定量の後噴射（ｂ２）を追加実行する。これによって、主噴射の増量による排気ガス流量の増加と、後噴射の酸化触媒１１での後燃焼とによってフィルタ部材１２に流入される排気ガス温度を効果的に上昇させることができ、フィルタ部材１２に捕集された排気微粒子を燃焼除去でき、フィルタ部材１２を再生することができる。なお、後述するように、本発明では、上記第１目標回転数（所定回転数）が、ドアロックの有無に応じて変更されて、ドアロックされていないときは手動再生を短時間で終了させるべく大きい回転数（例えば上記の１７５０ｒｐｍ）に設定され、ドアロックされているときは小さい回転数（例えば１４００ｒｐｍ）に設定される。
【００２４】
次に、コントロールユニット５０によるフィルタ部材１２の再生を行う制御について、図４、図５のフローチャートを参照しつつ説明する。なお、以下の説明でＱはステップを示す。まず、図４のＱ１において、各種センサ、スイッチ等からの信号が読み込まれた後、Ｑ２において、フィルタ部材１２に捕集されている排気微粒子の捕集量Ｘが検出される。この捕集量の検出は、例えば両圧力センサ１３と１４との検出圧力の差をみることによって行われる。
【００２５】
Ｑ３においては、捕集量Ｘが第１所定値Ａ１よりも大きいか否かが判別される。この第１所定値Ａ１は、走行中にフィルタ部１２の再生を行うべき状態であるか否かを判定するためのしきい値である。このＱ３の判別でＮＯのときは、Ｑ１に戻る。Ｑ３の判別でＹＥＳのときは、Ｑ４において、捕集量Ｘが、第２所定値Ａ２よりも大きいか否かが判別される。この第２所定値Ａ２は、上記第１所定値Ａ１よりも大きい値に設定されていて、停車中にフィルタ部材１２の再生を行うべき状態であるか否かを判定するためのしきい値となる。
【００２６】
前記Ｑ４の判別でＮＯのときは、捕集量Ｘが、走行中にフィルタ部材１２の再生を行うべき量にまでなっているときである。このときは、Ｑ５において、再生開始条件を満足するか否かの確認のために、車速が所定値（例えば３０ｋｍ／ｈ）よりも大きいか否かが判別される。このＱ５の判別でＮＯのときは、走行中であっても、フィルタ部材１２の再生のために必要な排気ガスの温度上昇が十分に得られる可能性が低いときあるいはエンジン（車両）の運転に少なからず悪影響を与える可能性があるときであるとして、Ｑ１へ戻る。
【００２７】
上記Ｑ５の判別でＹＥＳのときは、Ｑ６において、フィルタ部材１２の自動再生が実行される。すなわち、Ｑ６においては、図３（ａ）に示す態様で燃料噴射弁２１からの燃料噴射が実行される。これにより、排気ガス温度が上昇されて、フィルタ部材１２に捕集されていた排気微粒子が燃焼除去される。
【００２８】
Ｑ６の後は、Ｑ７において、捕集量Ｘが、第３所定値Ａ３よりも小さいか否かが判別される。この第３所定値Ａ３は、フィルタ部材１２の自動再生を終了するか否かを判定するためのしきい値となるもので、前記第１所定値Ａ１および第２所定値Ａ２よりも小さい値に設定されている（０に設定することもできる）。このＱ７の判別でＮＯのときは、Ｑ５に戻る。また、Ｑ７の判別でＹＥＳのときは、Ｑ８において、自動再生が終了される。
【００２９】
前記Ｑ４の判別でＹＥＳのときは、捕集量Ｘが手動再生を実行すべき量にまで大きくなっている状態である。このときは、図５のＱ１１に移行して、車両が停車中であるか否かが判別される。この停車中であることの判別は、実施形態では、車速が０であることと、自動変速機のレンジ位置がＰレンジ位置であるという両方の条件を満足したときであるとしている。停車中であることの判定は、この他に、パーキングブレーキレバーが作動されているという条件を付加する等、適宜設定できる。また、変速機が手動変速機のときは、例えば、車速が０でシフト位置がニュートラルでかつパーキングブレーキレバーが作動されているときに停車中であると判定するように設定することができる。
【００３０】
Ｑ１１の判別でＹＥＳのときは、Ｑ１２において、現在手動再生中であるか否かが判別される。このＱ１２の判別でＮＯのとき、つまり手動再生中でないときは、Ｑ１３において、乗員に対して手動再生の指令を行うことを促すべく、例えば再生指示ランプ４１が点灯される。再生指示を促す手法としては、この他に、例えば既存の室内等を点灯あるいは点滅させたり、専用のランプを用いたり、例えばナビゲーションシステム等の表示画面に文字表示させたり、さらには音声ガイドによって行う等、適宜の手法を採択することができる。
【００３１】
上記Ｑ１３の後は、Ｑ１４において、手動再生スイッチ３５がオン操作されたか否かが判別される。すなわち、乗員によって手動再生の開始を実行する指令の操作があったか否かが判別される。このＱ１４の判別でＮＯのときは、そのままリターンされる。Ｑ１４の判別でＹＥＳのときは、Ｑ１５において、ドアロック状態検出手段３２からの信号に基づいて、ドアがロックされいる状態であるか否かが判別される。このＱ１５の判別でＹＥＳのとき、つまりドアロック状態であるときは、Ｑ１６において、手動再生の際のエンジン回転数となる所定回転数（目標回転数）が、小さい回転数Ａ（例えば１４００ｒｐｍ）に設定される。これに対して、Ｑ１５の判別でＮＯのとき、つまりドアがロックされていないときは、Ｑ１７において、手動再生の際のエンジン回転数となる所定回転数（目標回転数）が、大きい回転数Ｂ（例えば１７５０ｒｐｍ）に設定される。
【００３２】
上記Ｑ１６あるいはＱ１７の後は、それぞれＱ１８に移行する。Ｑ１８では、ＩＧスイッチ４０からの信号に基づいて、ＩＧオフとされたか否かが判別される。このＱ１８の判別でＮＯのときは、手動再生を実行する条件が満足されていないときなので、手動再生を促すべく、Ｑ２２でＩＧオフを促す報知が行われた後（ＩＧオフ指示手段４９の作動）、Ｑ１５へ戻る。
【００３３】
Ｑ１８の判別でＹＥＳのときは、Ｑ１９において、手動再生が実行されると共に、手動再生中であることを乗員に報知するための報知が行われる（報知手段４４の作動）。手動再生は、燃料噴射弁２１からの燃料噴射を図３（ｂ）に示すような態様でもって行って、排気ガス温度を上昇させて、フィルタ部材１２に捕集されている排気微粒子を燃焼除去するものである。なお、手動再生中であることの乗員への報知は、例えば、車室内にある既存のランプを点灯あるいは点滅させたり、専用のランプを利用したり、表示画面に文字表示したり、音声ガイドにより行う等、適宜の手法を採択することができる。手動再生のときのエンジン回転数は、上記所定回転数（ＡまたはＢ）となるように運転（フィードバック制御）される。つまり、ドアロックされていないときは高いエンジン回転数Ｂとされるので、手動再生が短時間で終了されることになり、車両盗難の危険性が低減される。この一方、ドアロックされているときは、手動再生のエンジン回転数Ａが小さい回転数とされるので、排気ガス温度の上昇が比較的低い温度に抑制されることになる。
【００３４】
上記Ｑ１９の後は、Ｑ２０において、捕集量Ｘが、第４所定値Ａ４よりも小さいか否かが判別される。この第４所定値Ａ４は、手動再生を終了するか否かを判定するためのしきい値であって、前述した手動再生開始用の判定しきい値としての第２所定値Ａ２よりも小さい値に設定されている。このような第４所定値Ａ４は、実施形態では、手動再生によってフィルタ部材１２を十分に再生させるために、自動再生の終了判定用となる前記第３所定値Ａ３よりも小さい値に設定してある。勿論、第４所定値Ａ４を第３所定値Ａ３と同じ大きさに設定することもできる（０に設定することもできる）。
【００３５】
手動再生が十分に行われていない段階では、上記Ｑ２０の判別でＮＯとなって、Ｑ１１に戻る。Ｑ１１に戻った後のＱ１２の判別ではＹＥＳとなり、このときはＱ２３に移行されて、着座シート３７の信号に基づいて、車内に乗員が不在であるか否かが判別される。このＱ２３の判別でＹＥＳのとき、つまり車内に乗員が居ないときは、Ｑ２４において、ウインド開閉検出手段３０からの信号に基づいて、ウインドが開いているか否かが判別される。このＱ２４の判別でＹＥＳのときは、Ｑ２５において、ウインドが閉じられる（ウインド開閉モータ４２の作動）。上記Ｑ２３の判別でＮＯのとき、Ｑ２４の判別でＮＯのとき、あるいはＱ２５の後は、それぞれＱ１９に移行される。
【００３６】
Ｑ１９での手動再生が行われ続けると、やがてＱ２０の判別でＹＥＳとなる。このときは、Ｑ２１に移行して、手動再生が終了され（燃料噴射が通常の態様に復帰）、手動再生中であることを乗員に報知するランプ４４が消灯される。そして、再生終了ということで、エンジン１が停止される。
【００３７】
前記Ｑ１１の判別でＮＯのときは、手動再生の実行条件が満足されないときである（手動再生がまだ行われていない状態と手動再生中の状態との両方の状態がある）。このときは、Ｑ２６に移行して、手動再生中であるか否かが判別される。このＱ２６の判別でＮＯのときは、手動再生がまだ開始されていないときなので、そのままリターンされる。Ｑ２６の判別でＹＥＳのときは、手動再生中なので、Ｑ２７において、手動再生が終了され（燃料噴射が通常の態様に復帰）、手動再生中であることを示すランプ４４が消灯される。なお、Ｑ２７の処理では、ＩＧスイッチ４０がオフであればエンジン１が停止されるが、ＩＧスイッチ４０がオンされることによってエンジン１の運転（つまり車両の走行）が開始されることになる。
【００３８】
図６、図７は、本発明の別の制御例を示すものであり、図５のフローチャートに対応している。この図６、図７の制御例の特徴は、手動再生中に運転者が車外から離間することを検出したときは、ドアロックを行うことを促す指示を行うと共に、ウインドを自動的に閉じる制御を行うようにしてある。なお、図６、図７の制御は、図５のＱ２３〜Ｑ２５に対応したの処理のみが変更されていて、この変更部分が図７に示されており、その他の処理は図５の場合と同じである。したがって、図５と図６とで同一の処理を行うステップについては、同一のステップを示す符号を用いて、その重複した説明は省略する。
【００３９】
以上のことを前提として、図６のＱ１２（図５のＱ１２と同じ）の判別でＹＥＳのときは、図７のＱ３１に移行する。このＱ３１では、運転席ドアが閉から開へと変化されたか否かが判別される。このＱ３１の判別でＮＯのときは、運転者が車内に居るときであるので、このときはそのまま図６のＱ１９に移行して、手動再生がそのまま実行され続ける。Ｑ３１の判別でＹＥＳのときは、Ｑ３２において、携帯キー３６からの信号を受信したか否かが判別される。このＱ３２の判別でＮＯのとき、つまり携帯キー３６からの信号が受信されていないときは、携帯キー３６の故障等によって、携帯キー３６からの信号を利用した自動ドアロックが得られないときであるときである。このときは、Ｑ２３において、ドアロックを行うことを促す報知が行われた後（ドアロック警報手段４３の作動）、図６のＱ１９へ移行される。
【００４０】
前記Ｑ３２の判別でＹＥＳのときは、携帯キー３６を携帯している運転者が車両から所定距離離間すれば、自動的にドアロックされるときである。このときは、Ｑ３４において、携帯キー３６からの信号の受信感度（強さ）に応じて、乗員（運転者）が車両から所定距離（携帯キー３６の無線到達距離で例えば３ｍ）離間したか否かが判別される。このＱ３５の判別でＹＥＳのときは、運転者によるウインドの閉作動は期待できないときなので、Ｑ３５において、検出手段３９からの信号に基づいて、ウインドが開状態であるか否かが判別される。このＱ３５の判別でＹＥＳのときは、Ｑ３６において、ウインドが閉じられる（ウインドモ開閉モータ４２の作動）。Ｑ３４の判別でＮＯのとき、Ｑ３５の判別でＮＯのとき、あるいはＱ３６の後は、それぞれ図６のＱ１９へ移行される。
【００４１】
以上実施形態について説明したが、本発明はこれに限らず、例えば次のような場合をも含むものである。エンジンとしては、ディーゼルエンジンに限らず、ガソリンエンジン（特に排気微粒子がおおくなる直噴ガソリンエンジン）等、排気微粒子を排出適宜の形式のエンジンに適用することができる。自動再生開始判定用しきい値となる第１所定値Ａ１と手動再生開始判定用しきい値となる第２所定値Ａ２も同じ値に設定することもでき、第１所定値Ａ１を第２所定値Ａ２よりも大きい値に設定することもできるが、第１所定値Ａ１よりも第２所定値Ａ２を大きい値に設定する方が、極力走行中での自動再生を行う機会（頻度）を増大させて、手動再生を行う機会（頻度）を減少させる上で好ましいものとなる。
【００４２】
図４のＱ４から図５のＱ１１（図６のＱ２１）へ移行する間に、走行中であるか否かを判別するステップを別途設けて、走行中であると判別されたときはＱ５に移行する一方、走行中でないと判定されたときにＱ１１（Ｑ２１）へ移行するように設定してもよい（捕集量Ｘが第２所定値Ａ２よりも大きいときでも、走行中であれば自動再生を行なわせる機会を確実に確保するため−手動再生を煩わしさのために避ける乗員が存在することをも考慮した対応）。
【００４３】
手動再生中であることを車両周囲の移動物体（例えば通りすがりの者）に報知するようにしてもよい。この移動物体への報知手法としては、例えば次のようにすることができる。既存のブレーキランプの点灯（点滅）や、車両の４隅に配置されている既存の車幅灯やハザードランプの点灯（あるいは点滅）を利用して報知するようことができる。また、音を用いた報知とすることもでき、この場合、もっとも簡単な手法としては、ブザー（ホーン）を作動させるようにすればよい。音を用いる報知としては、この他、音声ガイドによって、現在手動再生中であって、少なくとも「排気口付近が高熱（高温）になっている」旨を報知するようにするのが好ましい。とりわけ、トラックなどの商用車の多くは、バック（後退走行）するときに、音声によって後退走行することを車両周囲に報知することが既に一般化されているので、この後退走行のためのスピーカ等を有効に利用して、手動再生中における報知としての音声ガイドを行うことができる。勿論、排気口付近に、専用のランプを設けて報知するようにしてもよく、この場合、ランプの点灯あるいは点滅に加えて、例えばランプ面に排気口が高熱（高温）である旨の注意の文字表示や、上述した音声ガイドを合わせて行う等のこともできる（ランプと音との両方による報知）。
【図面の簡単な説明】
【００４４】
【図１】本発明の実施形態に係る全体構成図。
【図２】コントロールユニットに対する入出力関係を示す図。
【図３】排気ガス温度上昇のための燃料噴射態様を示す図。
【図４】本発明の制御例を示すフローチャート。
【図５】本発明の制御例を示すフローチャート。
【図６】本発明の別の制御例を示すフローチャート。
【図７】本発明の別の制御例を示すフローチャート。
【符号の説明】
【００４５】
１：ディーゼルエンジン
３：排気通路
１１：酸化触媒
１２：フィルタ部材（パティキュレートフィルタ）
１３、１４：排気圧力センサ（排気微粒子量検出手段）
２１：燃料噴射弁
３１：車速センサ（停車状態検出手段）
３２：ドアロック状態検出手段
３３：ドア開閉状態検出手段
３４：エンジン回転数センサ
３５：手動再生スイッチ（マニュアル操作）
３６：携帯キー（運転者検出）
３７：着座センサ（乗員検出）
３８：レンジ位置検出手段センサ（停車検出用）
３９：ウインド開閉検出手段
４０：ＩＧスイッチ
４１：手動再生指示ランプ（手動再生を促す報知用）
４２：ウインド開閉モータ
４３：ドアロック警報装置（ドアロックを促す指示）
４４：手動再生中であることの報知手段（乗員向け）
４８：ＩＧバイパススイッチ（手動再生中での電源供給用）
４９：ＩＧオフを促す報知手段
５０：コントロールユニット
【図１】
2005171972.tif 000003
【図２】
2005171972.tif 000004
【図３】
2005171972.tif 000005
【図４】
2005171972.tif 000006
【図５】
2005171972.tif 000007
【図６】
2005171972.tif 000008
【図７】
2005171972.tif 000009